(57)【要約】【課題】放送時間の変更に自動的に対応する予約記録制御手段を提供すること。【解決手段】記録開始時刻から記録終了時刻までを通常予約記録として記録し、記録終了時刻から所定の時間、継続記録として記録動作を継続することにより、予期せぬ放送時間の変更が発生した場合でも、番組の情報を欠くことなく記録することができる。【選択図】  図１
2005006154.tif 000002
【特許請求の範囲】
【請求項１】
入力される映像情報を記録するための予約記録制御方法であって、
記録開始時刻及び記録終了時刻を予約情報として設定し、
前記記録開始時刻から前記記録終了時刻まで前記入力映像情報を記録し、
さらに前記記録終了時刻から所定時間経過するまで記録を継続することを特徴とする予約記録制御方法。
【請求項２】
複数の予約情報が設定されており、
予約情報に基づいて記録終了時刻から所定時間経過するまで記録を継続しているとき、別の予約情報の記録開始時刻を迎える前に、継続記録を終了することを特徴とする請求項１記載の予約記録制御方法。
【請求項３】
記録開始時刻から記録終了時刻までは上書き禁止属性を付加して記録し、記録終了時刻から所定時間経過するまでは、上書き許可属性を付加して記録することを特徴とする請求項１または２いずれかに記載の予約記録制御方法。
【発明の詳細な説明】
【０００１】
【発明の属する技術分野】
本発明は、ＨＤＤ（ハードディスクドライブ）や記録型ＤＶＤなどを搭載したビデオディスクレコーダーなどの予約記録制御方法に関するものであり、詳しくは番組の放送時間延長や放送時間の変更が発生したときに延長部分の番組情報を欠くことなく記録できるようにしたものである。
【０００２】
【従来の技術】
従来、映像記録再生装置における予約録画では、少なくとも、チャンネル、録画開始時刻及び録画終了時刻の設定を行い、録画開始時刻から録画終了時刻まで指定したチャンネルを選局した状態で記録することにより実現していた。しかしながら、当該放送番組が延長された場合や、前に放送された番組の延長などにより当該放送番組の放送開始時刻が遅延された場合には、予約された番組の終わりの部分の欠落が発生するという問題があった。
【０００３】
この種の番組延長に対応するため、番組の延長を見越して予約終了時刻を本来の番組より遅くするなどの対策を行うものとして、例えば、特許文献１に記載されているようなものがあった。
【０００４】
図５は、前記特許文献１に記載された従来の予約記録制御方法を示すものである。図５において、フローチャートのステップ５０１で、ユーザーが予約情報の設定を行う。このとき、ユーザーは予約開始時刻ｔ１と予約終了時刻ｔ２を設定し、さらに延長を見越して延長記録時間ｔ３を設定することができる。分岐５０２で延長記録時間ｔ３が設定されていた場合にはステップ５０３に、延長記録時間ｔ３が設定されていなかった場合には、ステップ５０５に進み、予約開始時刻ｔ１から予約終了時刻ｔ２に至る記録を行う。ステップ５０３で予約終了時刻に至ると、ステップ５０４に進み、ステップ５０１で設定された延長記録時間ｔ３の間記録が継続される。
【０００５】
以上のように、あらかじめ延長記録時間ｔ３が設定されていた場合には、予約終了時刻ｔ２から延長記録時間ｔ３の間、番組の記録が継続され、当該番組が延長した場合にも延長部分の番組情報内容を欠くことなく記録できる。
【０００６】
【特許文献１】
特開２００２−１４２１８０号公報
【０００７】
【発明が解決しようとする課題】
しかしながら、前記従来の構成では、ユーザーがあらかじめ番組の延長を見越して延長記録時間を設定する必要があり、この設定を行っていない予約に対応する番組が延長した場合には、延長部分の欠落が発生してしまっていた。
【０００８】
本発明は、前記従来の課題を解決するもので、予約している番組の延長が発生した場合や、前の番組の延長などによる予約番組の時間変更が発生した場合にも、当該番組の情報を欠くことなく記録する予約記録制御方法を提供することを目的とする。
【０００９】
【課題を解決するための手段】
上記課題を解決するため、本発明の予約記録制御方法は、記録開始時刻及び記録終了時刻を予約情報として設定し、記録開始時刻から記録終了時刻まで入力映像情報を記録し、さらに記録終了時刻から所定時間経過するまで記録を継続する。
【００１０】
また本発明の予約記録制御方法は、複数の予約情報が設定されており、予約情報に基づいて記録終了時刻から所定時間経過するまで記録を継続しているとき、別の予約情報の記録開始時刻を迎える前に、継続記録を終了する。
【００１１】
また本発明の予約記録制御方法は、記録開始時刻から記録終了時刻までは上書き禁止属性を付加して記録し、記録終了時刻から所定時間経過するまでは、上書き許可属性を付加して記録する。
【００１２】
これにより、設定した記録終了時刻を経過しても、ユーザーの手を煩わせることなく、また他の予約録画に影響を及ぼすことなく、所定時間だけ自動的に記録が継続される。
【００１３】
【発明の実施の形態】
以下に、本発明の実施の形態について、図面を参照しながら説明する。
【００１４】
図１は、本発明の実施の形態における予約記録制御方法の動作を示すフローチャートである。予約記録を開始すると、ステップ１０１からステップ１０２に移行する。ステップ１０２では、第１の予約情報に従い、予約開始時刻ｔ１から予約終了時刻ｔ２まで記録が行われる。予約終了時刻を迎えると、ステップ１０３に移行し、継続記録を開始する。継続記録時間は所定の時間であり、例えば１時間という時間が設定されている。次にステップ１０４に進み、第２の予約の予約開始時刻に到達してなければ、ステップ１０５に移行し、次の予約開始時刻に到達しているときは、ステップ１０６に移行する。ステップ１０５では、継続記録時間が所定の時間に達していればステップ１０６に移行し、所定の時間に達していないときは、ステップ１０４に移行し、次の予約開始時刻に到達するか、継続記録時間が所定の時間に到達するまで繰り返される。ステップ１０４にて次の予約開始時刻に到達するか、ステップ１０５にて継続記録時間が所定の時間に到達すると、ステップ１０６に移行し、継続記録を終了し、次の予約に対する処理に移行する。
【００１５】
以上のように、常に予約終了時刻から所定の時間継続記録を行うことにより、ユーザーに特別な操作を要求することなく、番組の放送時間に変更が発生した時にも当該番組の情報を欠落なく記録することができる。また、次に別の予約が入っている時には、継続記録を終了し次の予約を開始するため、ユーザーが本来取りたい番組についても欠落なく記録することができる。
【００１６】
なお、継続記録時には上書き可能属性を付加して記録を行うことにより、番組の放送時間に変更が発生しなかった予約記録に対する継続記録部分を、優先的に消去することができる。
【００１７】
この様子を図２を用いて説明する。例えば、番組Ａを記録した場合、予約開始時刻から予約終了時刻までの部分をＡ１とし、継続記録部分をＡ２とする。同様に番組Ｂおよび番組Ｃを記録した場合、予約開始時刻から予約終了時刻までの部分をＢ１およびＣ１とし、継続記録部分をＢ２およびＣ２とする。ここでＡ２、Ｂ２、Ｃ２は継続記録により記録された部分であるため、上書き可能属性が付加されて記録されている。
【００１８】
次に、新たな番組Ｄの予約が設定され記録容量が不足している場合を想定する。この場合、記録容量不足のメッセージをユーザーに呈示して予約処理を中断することもできるが、上書き可能属性が付加された部分を消去することで新たな番組Ｄの記録領域を確保することもできる。この場合、番組Ｄの録画領域が確保できるまで、上書き可能属性が付加されたＡ２、Ｂ２、Ｃ２の領域が順次消去される。消去の優先順位としては、録画時間順としてもよいし、既に視聴済みであるか否かに基づいて優先順位を付与してもよい。
【００１９】
優先順位がＡ２、Ｂ２、Ｃ２の順であり、Ａ２およびＢ２の領域を消去することで番組Ｄの録画領域が十分確保できたとすると、番組Ｄを記録した後は、図３に示すような状態となる。図３において斜線部分はＡ２およびＢ２が消去されたことを示している。
【００２０】
これにより、新たな番組を記録するための記録容量が少ない場合には、上書き可能属性が付加された継続記録の部分を優先的に消去することで、新たな番組を記録するための領域を確保することができる。
【００２１】
本発明を予約記録制御装置として実現した場合のブロック図を図４に示す。図４において、４０１はＴＶ放送等を受信する映像入力手段、４０２は予約開始時刻ｔ１および予約終了時刻ｔ２を設定する予約設定手段、４０３は映像入力手段２０１から入力された信号を録画する録画手段、４０４は予約設定手段４０２に基づいて録画手段４０３の録画を制御する録画制御手段、４０５は録画手段４０３からの信号を出力する映像出力手段である。図１で示した動作は録画制御手段４０４により実現される。継続記録時間はあらかじめ設定された時間でもよいし、予約設定手段４０２から入力されるようにしてもよい。
【００２２】
継続記録時には録画制御手段４０４から継続記録時間中である旨が通知され、録画手段４０３により上書き可能属性が付加されて記録される。
【００２３】
なお、本発明はハードディスクドライブやＤＶＤ−ＲＡＭ等の蓄積メディア用ドライブを搭載したコンピュータ等で実現してもよい。この場合、例えばコンピュータにＴＶチューナーカード等が搭載されているとすると、ＴＶチューナーカードから映像が入力され、図１で示した動作を実現するためのプログラムがコンピュータ上で実行され、ハードディスクもしくはＤＶＤ−ＲＡＭ等の蓄積メディアに映像信号が記録される。
【００２４】
【発明の効果】
以上のように、本発明の予約記録制御方法によれば、ユーザーに特別な操作を要求することなく、番組の放送時間に変更が発生した時にも当該番組の情報を欠落なく記録することができる。
【００２５】
また記録容量が少なくなった場合には、継続記録時間中に記録した領域を消去して空き容量を増やすことができるので、他番組を記録するための記録領域を圧迫することなく継続記録を行うことができる。
【図面の簡単な説明】
【図１】本発明の実施の形態における予約記録制御方法のフローチャート
【図２】番組Ａ〜Ｃの記録状態を説明する図
【図３】番組Ｄを記録した場合の記録状態を説明する図
【図４】予約記録制御装置のブロック図
【図５】従来の予約記録制御方法のフローチャート
【符号の説明】
４０１  映像入力手段
４０２  予約設定手段
４０３  録画手段
４０４  録画制御手段
４０５  映像出力手段
【図１】
2005006154.tif 000003
【図２】
2005006154.tif 000004
【図３】
2005006154.tif 000005
【図４】
2005006154.tif 000006
【図５】
2005006154.tif 000007